(57)【要約】【課題】高温環境においても、所望の表示特性を得ることが可能な表示装置を提供することを目的とする。【解決手段】レンズアレイ層２０１を有するレンズアレイユニット２０と、アレイ基板１１及びこのアレイ基板１１とレンズアレイユニット２０との間に配置された対向基板１２を貼り合わせた構造である表示ユニット１０と、を備えた表示装置であって、レンズアレイユニット２０の表示ユニット１０側に配置された光透過性を有する第１導電膜２０３と、表示ユニット１０のレンズアレイユニット２０側に配置された光透過性を有する第２導電膜１０３と、第１導電膜２０３と第２導電膜１０３との間に配置された誘電体層４００と、を備えたことを特徴とする【選択図】      図５
2009145698.tif 000002
【特許請求の範囲】
【請求項１】
レンズアレイ層を有するレンズアレイユニットと、
第１基板及びこの第１基板と前記レンズアレイユニットとの間に配置された第２基板を貼り合わせた構造である表示ユニットと、を備えた表示装置であって、
前記レンズアレイユニットの前記表示ユニット側に配置された光透過性を有する第１導電膜と、
前記表示ユニットの前記レンズアレイユニット側に配置された光透過性を有する第２導電膜と、
前記第１導電膜と前記第２導電膜との間に配置された誘電体層と、
を備えたことを特徴とする表示装置。
【請求項２】
前記レンズアレイユニットは、前記レンズアレイ層が前記表示ユニットに対向するように配置され、かつ、前記誘電体層を備え、
前記第１導電膜は、前記レンズアレイ層と前記誘電体層との間に配置されたことを特徴とする請求項１に記載の表示装置。
【請求項３】
前記表示ユニットは、前記誘電体層を備え、
前記第２導電膜は、前記第２基板と前記誘電体層との間に配置されたことを特徴とする請求項１に記載の表示装置。
【請求項４】
前記第１導電膜と前記第２導電膜との間に電圧を印加する電圧印加部を備えていることを特徴とする請求項１に記載の表示装置。
【請求項５】
前記レンズアレイユニットは、ガラス製の基体及びガラス製の前記レンズアレイ層を一体的に形成したもの、ガラス製の基体に接着層を介して樹脂製の前記レンズアレイ層を接着したもの、及び、ガラス製の基体に直接樹脂製の前記レンズアレイ層を成型にしたもののいずれかであることを特徴とする請求項１に記載の表示装置。
【請求項６】
前記表示ユニットは、液晶表示パネルであることを特徴とする請求項１に記載の表示装置。
【発明の詳細な説明】
【技術分野】
【０００１】
この発明は、表示装置に係り、特に、レンズアレイユニットを備えた立体映像表示装置に関する。
【背景技術】
【０００２】
動画表示が可能な立体画像表示装置、所謂、３次元ディスプレイには、種々の方式が知られている。近年、特にフラットパネルタイプで、且つ、専用の眼鏡等を必要としない方式の要望が高くなっている。このタイプの立体動画表示装置のうち、ホログラフィの原理を利用する方式はフルカラー動画の実現が難しいが、直視型或いは投影型の液晶表示装置やプラズマ表示装置などのような画素位置が固定されている表示ユニット（表示装置）の直前に、表示ユニットからの光線を制御して観察者に向ける光線制御素子を設置する方式は比較的容易に実現できる。
【０００３】
光線制御素子は、一般的にはパララクスバリア或いは視差バリアとも称され、光線制御素子上の同一位置でも角度により異なる画像が見えるように光線を制御している。具体的には、左右視差（水平視差）のみを与える場合には、スリット或いはレンチキュラーレンズシート（シリンドリカルレンズアレイ）が用いられ、上下視差（垂直視差）も含める場合には、ピンホールアレイ或いはマトリクス状のレンズからなるレンズアレイが用いられる。視差バリアを用いる方式にも、さらに２眼式、多眼式、超多眼式（多眼式の超多眼条件）、インテグラルフォトグラフィー（以下、ＩＰとも云う）に分類される。これらの基本的な原理は、１００年程度前に発明され立体写真に用いられてきたものと実質上同一である。
【０００４】
このうちＩＰ方式は、視点位置の自由度が高く、容易に立体視が可能となるという特徴がある。水平視差のみで垂直視差のない１次元ＩＰ方式は、非特許文献１に記載されているように、解像度の高い表示装置の実現も比較的容易である。これに対し、２眼方式や多眼方式では、立体視できる視点位置の範囲、すなわち視域が狭く、見にくいという問題があるが、立体画像表示装置としての構成としては最も単純であり、表示画像も簡単に作成できる。
【０００５】
光線制御素子の一つであるレンズアレイユニットにおいて、立体表示特性を得るためには、レンズと画素との間の距離を均一に保つことが重要である。例えば、特許文献１によれば、ディスプレイパネルの前面にマイクロレンズ基板を配置する構成が開示されている。
【非特許文献１】ＳＩＤ０４  Ｄｉｇｅｓｔ  １４３８  （２００４）
【特許文献１】特開２００６−１８９８４４号公報
【発明の開示】
【発明が解決しようとする課題】
【０００６】
レンズアレイユニットを表示ユニットに密着させるように配置することによってレンズと画素との間の距離を均一に保つ構成の場合、高温環境に長時間放置すると、レンズ、偏光板、ガラス基板などは温度の影響を受け、レンズ、偏光板、ガラス基板などの線膨張係数が異なる場合には、レンズアレイユニットや表示ユニットが反り、離れてしまうことがある。このため、レンズと画素との間の距離の均一性が損なわれ、所望の表示特性が得られないおそれがある。
【０００７】
この発明は、上述した問題点に鑑みなされたものであって、その目的は、使用環境にかかわらず、所望の表示特性を得ることが可能な表示装置を提供することにある。
【課題を解決するための手段】
【０００８】
この発明の態様による表示装置は、
レンズアレイ層を有するレンズアレイユニットと、
第１基板及びこの第１基板と前記レンズアレイユニットとの間に配置された第２基板を貼り合わせた構造である表示ユニットと、を備えた表示装置であって、
前記レンズアレイユニットの前記表示ユニット側に配置された光透過性を有する第１導電膜と、
前記表示ユニットの前記レンズアレイユニット側に配置された光透過性を有する第２導電膜と、
前記第１導電膜と前記第２導電膜との間に配置された誘電体層と、
を備えたことを特徴とする。
【発明の効果】
【０００９】
この発明によれば、使用環境にかかわらず、所望の表示特性を得ることが可能な表示装置を提供することができる。
【発明を実施するための最良の形態】
【００１０】
以下、この発明の一実施の形態に係る表示装置について図面を参照して説明する。
【００１１】
図１に示すように、表示装置は、表示ユニット１０と、光線制御素子であるレンズアレイユニット２０と、を備えて構成されている。表示ユニット１０は、一対の基板すなわち第１基板１１と第２基板１２とを貼り合わせた構造である。第２基板１２は、第１基板１１とレンズアレイユニット２０との間に配置されている。
【００１２】
この表示ユニット１０は、液晶表示パネル、プラズマ表示パネル、有機エレクトロルミネッセンス（ＥＬ）表示パネル、電解放出型表示パネルなどで構成されており、特に、種類は問わない。この実施の形態においては、特に、表示ユニット１０として液晶表示パネルを適用した例について説明する。
【００１３】
図２及び図３に示すように、液晶表示パネル１０は、一対の基板すなわちアレイ基板（第１基板）１１及び対向基板（第２基板）１２間に液晶層１３を保持した構造であり、画像を表示する表示エリアＤＡを備えている。この表示エリアＤＡは、マトリクス状に配置された複数の画素ＰＸによって構成されている。
【００１４】
アレイ基板１１は、例えばガラス基板等の光透過性を有する絶縁基板１１Ａを用いて形成されている。このアレイ基板１１は、絶縁基板１１Ａ上において、各画素ＰＸに駆動信号を供給する配線部を備えている。すなわち、アレイ基板１１は、配線部として、画素ＰＸの行方向に沿って配置された複数の走査線Ｙ（Ｙ１〜Ｙｍ）及び複数の補助容量線Ｃ（Ｃ１〜Ｃｍ）、画素ＰＸの列方向に沿って配置された複数の信号線Ｘ（Ｘ１〜Ｘｎ）、画素ＰＸ毎に配置されたスイッチング素子ＳＷなどを備えている。さらに、アレイ基板１１は、各スイッチング素子ＳＷに接続された画素電極ＰＥなどを備えている。走査線Ｙのそれぞれは、駆動信号（走査信号）を供給するゲートドライバＹＤに接続されている。信号線Ｘのそれぞれは、駆動信号（映像信号）を供給するソースドライバＸＤに接続されている。
【００１５】
各スイッチング素子ＳＷは、例えば薄膜トランジスタによって構成されている。このスイッチング素子ＳＷは、各画素ＰＸに対応して走査線Ｙ及び信号線Ｘの交差部に配置されている。スイッチング素子ＳＷのゲートは、対応する走査線Ｙに接続されている（あるいは走査線Ｙと一体的に形成されている）。スイッチング素子ＳＷのソースは、対応する信号線Ｘに接続されている（あるいは信号線Ｘと一体的に形成されている）。スイッチング素子ＳＷのドレインは、画素電極ＰＥに電気的に接続されている。
【００１６】
各画素電極ＰＥは、スイッチング素子ＳＷを覆う絶縁膜ＩＬ上に配置されており、絶縁膜ＩＬに形成されたコンタクトホールを介してスイッチング素子ＳＷのドレインと電気的に接続されている。この画素電極ＰＥは、バックライトユニットから放射されたバックライト光を選択的に透過して画像を表示する透過型の液晶表示パネル１０においては、インジウム・ティン・オキサイド（ＩＴＯ）やインジウム・ジンク・オキサイド（ＩＺＯ）などの光透過性を有する導電材料によって形成される。また、各画素電極ＰＥは、対向基板１２側から入射する外光（フロントライトユニットから放射されたフロントライト光も含む）を選択的に反射して画像を表示する反射型の液晶表示パネル１０においては、アルミニウム（Ａｌ）などの光反射性を有する導電材料によって形成される。このような画素電極ＰＥの表面は、液晶層１３に含まれる液晶分子の配向を制御するための第１配向膜ＡＬ１によって覆われている。
【００１７】
対向基板１２は、例えばガラス基板等の光透過性を有する絶縁基板１２Ａを用いて形成されている。この対向基板１２は、絶縁基板１２Ａ上において、複数の画素電極ＰＥに対向して配置された対向電極ＣＥなどを備えている。対向電極ＣＥは、ＩＴＯなどの光透過性を有する導電材料によって形成されている。このような対向電極ＣＥの表面は、液晶層１３に含まれる液晶分子の配向を制御するための第２配向膜ＡＬ２によって覆われている。
【００１８】
これらのアレイ基板１１及び対向基板１２は、画素電極ＰＥと対向電極ＣＥとを対向させた状態で図示しないシール材によって貼り合わせられている。アレイ基板１１及び対向基板１２の間には、図示しないスペーサが介在し、基板間に所定のセルギャップが形成される。液晶層１３は、アレイ基板１１と対向基板１２とのセルギャップに封止された液晶組成物によって形成されている。この実施の形態においては、液晶モードについて特に制限はなく、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モード、ＩＰＳ（Ｉｎ−Ｐｌａｎｅ  Ｓｗｉｔｃｈｉｎｇ）モードなどが適用可能である。
【００１９】
カラー表示タイプの液晶表示装置では、液晶表示パネル１０は、複数種類の画素ＰＸ、例えば赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらのカラーフィルタは、アレイ基板１１または対向基板１２の主面に配置される。
【００２０】
各画素ＰＸは、各々画素電極ＰＥ及び対向電極ＣＥ間に液晶容量ＣＬＣを有している。
【００２１】
複数の補助容量線Ｃ（Ｃ１〜Ｃｍ）は、各々対応行の画素電極ＰＥに容量結合して補助容量Ｃｓを構成する。
【００２２】
透過型の液晶表示パネル１０を適用した構成においてはバックライトユニットを含み、図３に示すように、表示エリアＤＡに対応してアレイ基板１１の外面に偏光板を含む第１光学素子ＯＤ１が配置され、また、対向基板１２の外面にも同様に偏光板を含む第２光学素子ＯＤ２が配置されている。
【００２３】
図１に示すように、レンズアレイユニット２０は、基体２０２と、基体２０２上に配置されたレンズアレイ層２０１と、を備えている。
【００２４】
図４Ａ及び図４Ｂに示すように、レンズアレイ層２０１は、一方向に並んだ複数のシリンドリカルレンズによって構成されている。ここで、便宜上、走査線が延在する方向と平行な方向をＸとし、信号線が延在する方向と平行な方向をＹとし、Ｘ−Ｙ平面の法線方向（表示ユニット１０の厚み方向）をＺとしたとき、図４Ａに示した例では、各シリンドリカルレンズはその円筒面の母線がＹ方向に伸びた形状であり、複数のシリンドリカルレンズがＸ方向に並んでいる。また、図４Ｂに示した例では、各シリンドリカルレンズはその円筒面の母線がＹ方向に対して傾いた形状であり、複数のシリンドリカルレンズがＸ方向に並んでいる。
【００２５】
レンズアレイ層２０１において、シリンドリカルレンズの水平ピッチＰｓは、表示ユニット１０の表示エリアＤＡにおける行方向（つまりＸ方向）に一致する方向のピッチである。このレンズアレイ層２０１は、レンズアレイユニット２０が表示ユニット１０に対向して配置された際、少なくとも表示エリアＤＡと対向するような領域にわたって形成されている。つまり、レンズアレイ層２０１が形成される面積は、表示エリアＤＡと同等以上に設定される。
【００２６】
レンズアレイ層２０１の厚み（すなわち、基体の表面からレンズのトップ部分までの厚み）は、例えば０．０５ｍｍ乃至０．５ｍｍ程度であり、また、レンズの間の掘り込み量は、例えば０．０５ｍｍ乃至０．１ｍｍ程度であるが、これらの値は設計に応じて種々変更可能である。
【００２７】
基体２０２は、レンズアレイ層２０１を支持する平板状のものであって、レンズアレイ層２０１よりも大きなサイズを有していることが望ましい。また、この基体２０２は、例えば０．７ｍｍ乃至１．１ｍｍ程度の厚さを有しているが、必要に応じてさらに厚い数ｍｍ程度のものを適用しても良い。
【００２８】
このようなレンズアレイユニット２０は、接着剤３０により表示ユニット１０に対して固定されている。接着剤３０は、表示エリアＤＡを囲むように配置されている。このような接着剤３０としては、熱硬化性樹脂材料や、紫外線硬化性樹脂材料などが使用可能である。
【００２９】
図１に示した例では、レンズアレイユニット２０は、レンズアレイ層２０１側が表示ユニット１０に密着した状態で対向するように配置されている。レンズアレイ層２０１が観察者側に面する構造を適用することも可能であるが、耐久性や信頼性の確保のために厚い基体２０２を用いた場合、レンズ焦点距離が長くなるためレンズ設計に制約が出る点や、レンズ凸面により外光反射を防止するためにさらに外側にフェースガラスを設置させると部材点数や重量が増大する。
【００３０】
ここでレンズアレイユニット２０と表示ユニット１０の構成例についてより具体的に説明する。
【００３１】
レンズアレイユニット２０は、更に、表示ユニット１０側に第１導電膜２０３を有している。図５及び図６に示した例では、第１導電膜２０３は、レンズアレイ層２０１の表面に配置されている。ここでは、第１導電膜２０３は、レンズアレイ層２０１のシリンドリカルレンズの全面に配置されている。この第１導電膜２０３は、光透過性を有する導電材料、例えば、ＩＴＯ、ＩＺＯなどによって形成されている。
【００３２】
表示ユニット１０は、更に、レンズアレイユニット２０側に第２導電膜１０３を有している。つまり、第２導電膜１０３は、対向基板１２とレンズアレイユニット２０との間に配置されている。図５及び図６に示した例では、第２導電膜１０３は、光学素子ＯＤ２の表面（すなわちレンズアレイユニット２０に対向する面）に配置されている。
【００３３】
光学素子ＯＤ２は、図７に示すように、トリアセテートセルロース（ＴＡＣ）によって形成された基材１０４Ａにより、ポリビニルアルコール（ＰＶＡ）によって形成された偏光層１０４Ｂを挟持した積層体によって構成されている。第２導電膜１０３は、光学素子ＯＤ２の基材１０４Ａ上に配置されている。ここでは、第２導電膜１０３は、光学素子ＯＤ２の全面に配置されている。第２導電膜１０３は、光透過性を有する導電材料、例えば、ＩＴＯ、ＩＺＯなどによって形成されている。このような第２導電膜１０３の表面にハードコート層を配置しても良い。
【００３４】
第１導電膜２０３と第２導電膜１０３との間には、誘電体層４００が配置されている。この誘電体層４００は、レンズアレイユニット２０、又は、表示ユニット１０に備えられている。図５に示した例では、誘電体層４００は、表示ユニット１０に備えられており、第２導電膜１０３上に配置されている。図６に示した例では、誘電体層４００は、レンズアレイユニット２０に備えられており、第１導電膜２０３上に配置されている。
【００３５】
このような誘電体層４００は、光透過性を有しており、且つ、有機系材料、無機系材料を問わず絶縁性を有する材料によって形成されている。図５に示した例のような場合においては、誘電体層４００がハードコート層として機能しても良いし、誘電体層４００とは別にハードコート層が配置されていても良い。また、図６に示した例のような場合においては、誘電体層４００とは別に、第２導電膜１０３の上にハードコート層が配置されていても良い。
【００３６】
第１導電膜２０３及び第２導電膜１０３は、電圧印加部５００に接続されている。
【００３７】
このような構成において、電圧印加部５００によって、第１導電膜２０３と第２導電膜１０３との間に電圧が印加されると、誘電体層４００の第１導電膜２０３側と第２導電膜１０３側とで分極が生じる。これにより、第１導電膜２０３と第２導電膜１０３とは、短絡することなく静電気力によって引き合わせられ、レンズアレイユニット２０と表示ユニット１０とが密着する。
【００３８】
このため、高温環境に放置しても、レンズアレイユニット２０と表示ユニット１０は、静電気力によって引き合わせられているので、密着した状態が保たれる。また、部材の熱膨張により反りが生じたとしても、レンズアレイユニット２０と表示ユニット１０は、密着した状態が保たれる。
【００３９】
したがって、本実施の形態によれば、高温環境においても、レンズと画素ＰＸとの間の距離を均一に保つことが可能となり、所望の表示特性を得ることが可能である。
【００４０】
このようなレンズアレイユニット２０は、種々の形態が提案され、いずれも適用可能である。
【００４１】
図８Ａに示した例のレンズアレイユニット２０は、ガラス製の基体２０２及びガラス製のレンズアレイ層２０１によって一体的に形成したものである。つまり、図８Ａの例は、ガラス基板の表面に加工を施して直接レンズ形状を形成し、その上に第１導電膜２０３を形成したものである。このようにガラスによって一体的に形成されたレンズアレイユニット２０は、温度変化の影響を受けにくく、安定した性能を維持できるといったメリットがある。
【００４２】
図８Ｂに示した例のレンズアレイユニット２０は、ガラス製の基体２０２に接着層２０４を介して樹脂製のレンズアレイ層２０１を接着し、その上に第１導電膜２０３を形成したものである。図８Ｃに示した例にレンズアレイユニット２０は、ガラス製の基体２０２に直接樹脂製のレンズアレイ層２０１を成型し、その上に第１導電膜２０３を形成したものである。樹脂製のレンズアレイ層２０１は、例えばＰＭＭＡ（ポリメチルメタクリレート）やＰＣ（ポリカーボネート）などの材料によって形成されている。
【００４３】
このような樹脂製のレンズアレイ層２０１は、プレス成型や射出成型により安価に製造できるといったメリットがある。一方で、樹脂材料は、基体２０２を形成するガラスよりも線膨張係数が大きいため、温度変化の影響を受け易い。このため、水平ピッチＰｓの変動を制御する目的で、レンズアレイ層２０１は、比較的厚い基体２０２に貼り付けることが望ましい。
【００４４】
なお、図８Ａ乃至図８Ｃに示した例において、第１導電膜２０３上にさらに誘電体層４００を配置しても良い。
【００４５】
次に、表示装置の一例として、１次元ＩＰ方式や多眼方式の立体映像を表示可能な表示装置について説明する。
【００４６】
図９は、立体映像表示装置の一部分の構成を概略的に示す斜視図である。
【００４７】
立体映像表示装置は、要素画像表示部を含む液晶表示パネルなどの表示ユニット１０及び光学的開口を有する光線制御素子として機能するレンズアレイユニット２０を備えている。レンズアレイユニット２０のレンズアレイ層２０１は、要素画像表示部に対向して設けられ、レンズアレイ層２０１の各レンズ主点を基準にした各方向の光線によって立体表示を行う。
【００４８】
ここでは、特に、液晶表示パネルなどの平面状の要素画像表示部の前面に、シリンドリカルレンズアレイからなるレンズアレイユニット（レンチキュラーシート）２０が配置されている場合を示している。図９に示されるように、要素画像表示部には、縦横比が３：１のサブ画素３１が横方向（Ｘ方向）及び縦方向（Ｙ方向）に夫々直線状にマトリクス状に配置され、サブ画素３１は、行方向（Ｘ方向）及び列方向（Ｙ方向）に赤（Ｒ）、緑（Ｇ）、青（Ｂ）が交互に並ぶように配列されている。
【００４９】
ここに示した例では、９列３行のサブ画素３１で１つの立体映像表示時の実効画素３２（黒枠で示されている）が構成される。このような表示部の構造では、立体映像表示時の実効画素３２が２７サブ画素からなることから、１視差に３色成分が必要であるとすると、Ｘ方向に９視差を与える立体画像・映像表示が可能となる。なお、実効画素とは立体表示時の解像度を決定する最小単位のサブ画素群をさし、要素画像とは１つのレンズに対応する視差成分画像の集合をさす。したがって、シリンドリカルレンズを使用する構成の立体映像表示装置の場合は、１つの要素画像は、縦方向に並ぶ多数の実効画素を含んでいる。
【００５０】
以上説明したように、本実施の形態によれば、使用環境にかかわらず、レンズと画素ＰＸとの間の距離を均一に保つことが可能となる。したがって、所望の表示特性を得ることが可能な表示装置を提供することにある。
【００５１】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５２】
例えば、上述した実施の形態では、第１導電膜２０３がレンズアレイユニット２０の全面に配置されている例について説明したが、第２導電膜１０３の形状にかかわらず、第１導電膜２０３を短冊状に形成してもよい。この場合、レンズアレイ層２０１のシリンドリカルレンズのトップ部分のみ、又は、ボトム部分のみに第１導電膜２０３を配置しても良い。
【００５３】
また、上述した実施の形態では、第２導電膜１０３が表示ユニット１０の全面に配置されている例について説明したが、第１導電膜２０３の形状にかかわらず、第２導電膜１０３を短冊状又は格子状に形成し、表示ユニット１０に配置しても良い。このような形状の第１導電膜２０３及び第２導電膜１０３を適用しても上述した本実施の形態と同様の効果が得られる。なお、短冊状の第１導電膜２０３及び第２導電膜１０３は、マスク蒸着法によって形成することで、煩雑なフォトリソグラフィプロセスを省略することが可能であり、大幅な工程数の増加を伴うことは避けられる。
【００５４】
また、図５に示した例では、第１導電膜２０３がレンズアレイ層２０１の表面に配置されている例について説明したが、配置位置はこのような例に限らない。例えば、第１導電膜２０３は、レンズアレイ層２０１の観察者側、つまり、レンズアレイ層２０１と基体２０２との間に配置されても良く、また、基体２０２の観察者側に配置されても良い。このような場合において、レンズアレイ層２０１、または、レンズアレイ層２０１及び基体２０２が誘電体層４００として機能しても良い。
【００５５】
電圧印加部５００は、例えば、表示装置の電源がオンしたタイミングで電圧を印加した後、電源オンの間は常に電圧を印加していても良く、または、定期的に電圧を印加しても良い。
【００５６】
上述した実施の形態において、電圧印加部５００は、表示ユニット１０に設けられた回路を利用して構成しても良いし、外部回路として構成されても良い。
【図面の簡単な説明】
【００５７】
【図１】図１は、この発明の一実施の形態に係る表示装置の構成を概略的に示す図である。
【図２】図２は、図１に示した表示装置に適用可能な表示ユニット（液晶表示パネル）の構成を概略的に示す図である。
【図３】図３は、図２に示した表示ユニットの断面構造を概略的に示す図である。
【図４Ａ】図４Ａは、図１に示した表示装置に適用可能なレンズアレイユニットの構成を概略的に示す斜視図である。
【図４Ｂ】図４Ｂは、図１に示した表示装置に適用可能なレンズアレイユニットの他の構成を概略的に示す斜視図である。
【図５】図５は、図１に示した領域Ａを拡大した図である。
【図６】図６は、図５に示した領域の他の構成を示した図である。
【図７】図７は、図１に示した表示装置に適用可能な光学素子と第２導電膜の構成を概略的に示す断面図である。
【図８Ａ】図８Ａは、図１に示した表示装置に適用可能なレンズアレイユニットの構造を概略的に示す断面図である。
【図８Ｂ】図８Ｂは、図１に示した表示装置に適用可能なレンズアレイユニットの他の構造を概略的に示す断面図である。
【図８Ｃ】図８Ｃは、図１に示した表示装置に適用可能なレンズアレイユニットの他の構造を概略的に示す断面図である。
【図９】図９は、この発明の一実施の形態に係る立体画像表示装置の一部の構成を概略的に示す斜視図である。
【符号の説明】
【００５８】
ＤＡ…表示エリア  ＰＸ…画素
１０…表示ユニット（液晶表示パネル）
１１…アレイ基板（第１基板）
１２…対向基板（第２基板）
１３…液晶層  ２０…レンズアレイユニット
２０１…レンズアレイ層  ２０２…基体
２０３…第１導電膜  １０３…第２導電膜
４００…誘電体層  ５００…電圧印加部
【図１】
2009145698.tif 000003
【図２】
2009145698.tif 000004
【図３】
2009145698.tif 000005
【図４Ａ】
2009145698.tif 000006
【図４Ｂ】
2009145698.tif 000007
【図５】
2009145698.tif 000008
【図６】
2009145698.tif 000009
【図７】
2009145698.tif 000010
【図８Ａ】
2009145698.tif 000011
【図８Ｂ】
2009145698.tif 000012
【図８Ｃ】
2009145698.tif 000013
【図９】
2009145698.tif 000014